(57)【要約】【課題】片引き戸を設置するための寸法を容易に測定できる採寸治具を提供すること。【解決手段】採寸治具１０は、少なくとも戸先側プレート３０、引き込み部用プレート４０および目盛指示プレート５０を備える。戸先側プレート３０は、障子の戸先側に設けられた第１側面７１Ａに合わせて配置され、障子を全閉状態とした際の戸尻側の位置を障子の出来幅として示す第１目盛３１が表記される。引き込み部用プレート４０は、開口を開く際に障子が引き込まれる引き込み部２Ｂに配置され、障子を全開状態とした際の戸先側の位置を障子の出来幅として示す第２目盛４１が表記される。目盛指示プレート５０は、第１目盛３１を指示する第１指示部５１と、第２目盛４１を指示する第２指示部５２とを備える。【選択図】図５
2018204308.tif 000002
【特許請求の範囲】
【請求項１】
壁に形成された開口を塞ぐ位置と、前記開口を開く位置とに移動される障子を備える片引き戸を設置するための寸法を測定する採寸治具であって、
少なくとも戸先側プレート、引き込み部用プレートおよび目盛指示プレートを備え、
前記戸先側プレートは、前記開口の内周面において対向する２つの側面のうち、前記障子の戸先側に設けられた第１側面に合わせて配置され、前記障子を全閉状態とした際の戸尻側の位置を前記障子の出来幅として示す第１目盛が表記され、
前記引き込み部用プレートは、前記開口を開く際に前記障子が引き込まれる引き込み部に配置され、前記障子を全開状態とした際の戸先側の位置を前記障子の出来幅として示す第２目盛が表記され、
前記目盛指示プレートは、前記第１目盛を指示する第１指示部と、前記第２目盛を指示する第２指示部とを備える
ことを特徴とする採寸治具。
【請求項２】
請求項１に記載の採寸治具において、
前記２つの側面のうち、前記障子の戸尻側に設けられた第２側面に合わせて配置された戸尻側プレートを備え、
前記戸先側プレートおよび前記戸尻側プレートのいずれか一方は、前記開口の開口幅を測定するための開口幅目盛が表記され、
前記戸先側プレートおよび前記戸尻側プレートのいずれか他方は、前記開口幅目盛を指示する目盛指示部を備える
ことを特徴とする採寸治具。
【請求項３】
請求項２に記載の採寸治具において、
前記戸尻側プレートは、前記障子とともに前記開口を塞ぐ袖部の幅寸法を示す袖部幅目盛が表記され、
前記目盛指示プレートは、前記袖部幅目盛を指示する第３指示部を備える
ことを特徴とする採寸治具。
【請求項４】
請求項１から請求項３のいずれか一項に記載の採寸治具において、
前記目盛指示プレートは、全開状態の前記障子の戸先部分と、前記障子とともに前記開口を塞ぐ袖部の召合せ框部分とを示す図が表記されている
ことを特徴とする採寸治具。
【発明の詳細な説明】
【技術分野】
【０００１】
片引き戸を設置するための寸法を測定する採寸治具に関する。
【背景技術】
【０００２】
建具を設置するための寸法を測定する治具として、門扉を取り付ける門柱を設置するために、２本の門柱間の寸法出しを行う治具が知られている（特許文献１）。特許文献１の治具は、保持部材と、保持部材の上下端部にそれぞれ回転自在に取り付けられた２つの離間部材と、各離間部材の自由端側に伸縮自在に設けられた調整部材とを備える。調整部材には、保持部材の門柱当接面から調整部材先端までの距離を示す目盛が設けられ、この目盛を参照して調整部材を伸縮させて所定の寸法位置に設定する。そして、２本の門柱のうち、一方の門柱に保持部材を当接させ、他方の門柱に調整部材の先端を当接させることで、各門柱間の間隔を所定寸法に設定している。
【先行技術文献】
【特許文献】
【０００３】
【特許文献１】実用新案登録第２５２４３３９号公報
【発明の概要】
【発明が解決しようとする課題】
【０００４】
ところで、特許文献１のような門柱にヒンジによって門扉を取り付ける場合には、門柱間の寸法を確認できれば、取り付ける門扉のサイズも決定できる。同様に、玄関などの開口に引違い戸を設置する場合、開口内に引戸枠を配置し、この引戸枠内のみで障子をスライド移動するため、開口の寸法のみを測定することで取り付ける引違い戸のサイズも決定できる。
一方、開口を開閉する障子を壁に沿って引き込む片引き戸の場合、開口の外側まで連続するレールを配置し、障子を開いた際に引き込むスペース（引き込み部）を設ける必要がある。このため、開口の幅寸法が同じ場合でも、障子の引き込み部の寸法（引き込み代）に応じて、障子の幅寸法（出来幅）を変更しなければならない。例えば、引き込み代が小さい場合は、障子の幅寸法も小さくする必要があり、引き込み代が大きい場合は、障子の幅寸法も大きくすることができる。
また、引き込み代に応じて障子の出来幅を調整するため、開口の幅寸法に比べて障子の出来幅が小さくなる場合が多い。このため、開口内に袖部（ＦＩＸ壁）を設けることが多く、袖部の幅寸法も、引き込み代や障子の出来幅に応じて設定する必要がある。
したがって、障子を開口外側の引き込み部に移動する片引き戸の場合には、開口の幅寸法のみを測定するだけでは、障子や袖部の寸法が決まらない。このため、開口幅寸法と、引き込み代とを採寸し、それらの寸法から設置可能な障子や袖部の幅寸法を算出し、設置可能な障子、袖部を特定しなければならず、作業が煩雑であった。
本発明の目的は、片引き戸を設置するための寸法を容易に測定できる採寸治具を提供することにある。
【課題を解決するための手段】
【０００５】
本発明は、壁に形成された開口を塞ぐ位置と、前記開口を開く位置とに移動される障子を備える片引き戸を設置するための寸法を測定する採寸治具であって、少なくとも戸先側プレート、引き込み部用プレートおよび目盛指示プレートを備え、前記戸先側プレートは、前記開口の内周面において対向する２つの側面のうち、前記障子の戸先側に設けられた第１側面に合わせて配置され、前記障子を全閉状態とした際の戸尻側の位置を前記障子の出来幅として示す第１目盛が表記され、前記引き込み部用プレートは、前記開口を開く際に前記障子が引き込まれる引き込み部に配置され、前記障子を全開状態とした際の戸先側の位置を前記障子の出来幅として示す第２目盛が表記され、前記目盛指示プレートは、前記第１目盛を指示する第１指示部と、前記第２目盛を指示する第２指示部とを備えることを特徴とする。
【０００６】
本発明によれば、戸先側プレートを第１側面に合わせて配置し、引き込み部用プレートを引き込み部に配置し、さらに、目盛指示プレートの第１指示部で戸先側プレートの第１目盛を指示し、第２指示部で引き込み部用プレートの第２目盛を指示するように目盛指示プレートを配置する。そして、第１指示部が指示する第１目盛の指示値と、第２指示部が指示する第２目盛の指示値とが一致する位置に、引き込み部用プレートおよび目盛指示プレートを移動することで、設置できる障子の出来幅を確認できる。このため、片引き戸を設置するための寸法を測定する際に、最も煩雑な障子の出来幅を容易に測定できる。
【０００７】
本発明の採寸治具において、前記２つの側面のうち、前記障子の戸尻側に設けられた第２側面に合わせて配置された戸尻側プレートを備え、前記戸先側プレートおよび前記戸尻側プレートのいずれか一方は、前記開口の開口幅を測定するための開口幅目盛が表記され、前記戸先側プレートおよび前記戸尻側プレートのいずれか他方は、前記開口幅目盛を指示する目盛指示部を備えることが好ましい。
本発明によれば、戸尻側プレートを追加し、さらに開口幅目盛および目盛指示部を設けることによって、開口の幅寸法も採寸治具で測定することができる。このため、片引き戸を設置するための寸法をさらに容易に測定できる。
【０００８】
本発明の採寸治具において、前記戸尻側プレートは、前記障子とともに前記開口を塞ぐ袖部の幅寸法を示す袖部幅目盛が表記され、前記目盛指示プレートは、前記袖部幅目盛を指示する第３指示部を備えることが好ましい。
本発明によれば、開口に袖部を配置する場合に、袖部の幅寸法も採寸治具で測定できる。このため、袖付きの片引き戸を設置するための寸法を容易に測定できる。
【０００９】
本発明の採寸治具において、前記目盛指示プレートは、全開状態の前記障子の戸先部分と、前記障子とともに前記開口を塞ぐ袖部の召合せ框部分とを示す図が表記されていることが好ましい。
本発明によれば、障子を全開した際に、開口内に残る障子の引き残し部や、有効開口部分が表示されるため、作業者はこれらの状態を容易に把握できる。
【発明の効果】
【００１０】
本発明の採寸治具によれば、片引き戸を設置するための寸法を容易に測定できる。
【図面の簡単な説明】
【００１１】
【図１】本発明の採寸治具で測定する片引き戸の各寸法を示す概略図である。
【図２】本発明の実施形態の採寸治具を示す斜視図である。
【図３】前記採寸治具を用いた測定手順を示す図である。
【図４】前記採寸治具を用いた測定手順を示す図である。
【図５】前記採寸治具を用いた測定手順を示す図である。
【発明を実施するための形態】
【００１２】
以下、本発明の実施形態を図面に基づいて説明する。
本実施形態は、既設の玄関ドアを袖付きの片引き戸１に改修する場合に、既設のドア枠７を利用して設置可能な片引き戸１のサイズ（幅寸法）を測定するための採寸治具１０である。
図１の概略図に示すように、玄関ドアが設置されていた壁２の開口２Ａには、既設のドア枠７が残されている。ドア枠７は、開口２Ａを区画する第１縦枠７１および第２縦枠７２を備え、第１縦枠７１は、片引き戸１の障子５の戸先側に設けられ、第２縦枠７２は、障子５の戸尻側に設けられている。このため、第１縦枠７１において第２縦枠７２に対向する側面（見込み面）は、開口２Ａの内周面において対向する２つの側面のうち、前記障子５の戸先側に設けられた第１側面７１Ａであり、第２縦枠７２において第１縦枠７１に対向する側面は、前記障子の戸尻側に設けられた第２側面７２Ａである。
開口２Ａには、袖部であるＦＩＸ部６が配置されている。障子５は、ＦＩＸ部６の屋外側に沿って移動され、第１縦枠７１およびＦＩＸ部６間の開口部分を閉じる全閉位置（図１の二点鎖線で示す位置）と、壁２の屋外側に設けられる引き込み部２Ｂに移動されて前記開口部分を開く全開位置（図１の実線で示す位置）との間をスライド移動可能に設けられている。
【００１３】
片引き戸１は、開口２Ａの幅寸法（第１縦枠７１、第２縦枠７２間の開口幅ＫＷ）が同じであっても、障子５において開口２Ａから引き込み部２Ｂに引き込まれる部分の寸法（引き込み代ＨＷ）によって、設置できる障子５の幅寸法（出来幅ＳＷ）が相違する。
例えば、図１（Ａ）〜（Ｃ）のように、開口幅ＫＷは同じ寸法であっても、引き込み部２Ｂの引き込み代ＨＷがそれぞれ異なる場合は、障子５の出来幅ＳＷやＦＩＸ部６のＦＩＸ部幅ＷＦを調整する必要がある。
障子５を全開状態にした場合の有効開口幅ＷＯをできるだけ大きくする条件で調整すると、図１（Ａ）のように、引き込み代ＨＷの大きさが小さい場合、障子５を全開状態にした場合の有効開口幅ＷＯを確保するためには障子５の出来幅ＳＷを小さくする必要がある。このため、障子５を全閉状態にした場合にＦＩＸ部６で塞ぐ部分の寸法（開口幅ＫＷ−出来幅ＳＷ）が大きくなり、ＦＩＸ部６のＦＩＸ部幅ＷＦも大きくする必要がある。
一方、図１（Ｃ）のように、引き込み代ＨＷの大きさが大きい場合、障子５の出来幅ＳＷも大きくでき、このため、ＦＩＸ部６のＦＩＸ部幅ＷＦは小さくできる。
したがって、図１（Ｂ）の場合の各寸法を「中」とし、各寸法において、「中」の寸法よりも小さい寸法になる場合を「小」、「中」の寸法よりも大きい寸法になる場合を「大」とすると、図１の（Ａ）〜（Ｃ）の場合の各寸法の大きさは、以下の表１に示すような設定となる。
【００１４】
【表１】
2018204308.tif 000003
【００１５】
このように開口幅ＫＷが同じであっても、引き込み代ＨＷによって、各寸法を調整する必要がある。本実施形態の採寸治具１０は、上記各寸法を容易に測定できるように構成されたものであり、図２に示すように、戸尻側プレート２０（以下、Ａプレート２０という）、戸先側プレート３０（以下、Ｂプレート３０という）、引き込み部用プレート４０（以下、Ｃプレート４０という）、目盛指示プレート５０（以下、Ｄプレート５０という）の４種類のプレートを備えている。
これらの各プレート２０、３０、４０、５０は、金属製や木製の板材で構成しても良いし、プラスチック製のシート材で構成してもよい。
【００１６】
Ａプレート２０の表面には、既設ドア枠の開口幅ＫＷの測定に用いられる開口幅目盛２１と、袖部であるＦＩＸ部６のＦＩＸ部幅ＷＦの測定に用いられる袖部幅目盛であるＦＩＸ部幅目盛２２と、片引き戸１の断面を示す画像２５とが印刷などで表記されている。
画像２５は、戸尻側の引戸縦枠の横断面を示す画像２５Ａと、引戸下枠を覆う化粧カバーの表面を示す画像２５Ｂと、ＦＩＸ部６の横断面を示す画像２５Ｃとが含まれている。戸尻側の引戸縦枠の画像２５Ａは、Ａプレート２０の一方の短辺２０Ａ、具体的には、Ａプレート２０を、その表面に印刷された文字や数字を読める向きに配置した際に右側となる短辺２０Ａに沿って表記されている。このＡプレート２０は、前記短辺２０Ａを、第２縦枠７２の第２側面７２Ａに当接させて開口２Ａの床（既設下枠など）に配置できるように構成されている。
開口幅目盛２１は、後述するＢプレート３０の目盛指示部３２の指示位置が、前記Ｂプレート３０の第１縦枠７１側の短辺３０Ａからの寸法となるように形成されている。このため、開口幅目盛２１は、短辺２０Ａ側から他方（左側）の短辺２０Ｂ側に向かうに従って表記される寸法が大きくなるように設定されている。したがって、Ａプレート２０を第１縦枠７１側に近づけると、目盛指示部３２で指示される開口幅目盛２１の指示値が小さくなり、Ａプレート２０を第１縦枠７１から遠ざけると、目盛指示部３２で指示される開口幅目盛２１の指示値が大きくなる。
ＦＩＸ部幅目盛２２は、ＦＩＸ部６の戸尻側の端部位置からの寸法を示す目盛が形成されている。このため、ＦＩＸ部幅目盛２２は、短辺２０Ａ側から他方の短辺２０Ｂ側に向かうに従って表記される寸法が大きくなるように設定されている。また、ＦＩＸ部６のＦＩＸ部幅ＷＦは、ＦＩＸ部６として製作可能な範囲（本実施形態では２００〜６１０ｍｍ）の目盛が表記されている。なお、ＦＩＸ部６の戸尻側の端部位置は、このＦＩＸ部６を含む新設の引戸枠を、第１縦枠７１、第２縦枠７２間の開口２Ａに配置する際のクリアランスを考慮し、第２縦枠７２から所定寸法（例えば５ｍｍ）内側の位置に設定される。このため、ＦＩＸ部幅目盛２２は、短辺２０Ａから５ｍｍ内側（短辺２０Ｂ側）の位置を、ＦＩＸ部６の戸尻側の端部位置とし、この位置からの寸法で表記されている。
【００１７】
Ｂプレート３０の表面には、障子５の全閉状態での出来幅ＳＷの測定に用いられる第１目盛３１と、開口幅ＫＷの測定に用いられる目盛指示部３２と、片引き戸１の断面を示す画像３５とが印刷などで表記されている。
画像３５は、戸先側の引戸縦枠の横断面を示す画像３５Ａと、前記画像２５Ｂに連続する化粧カバーの表面を示す画像３５Ｂと、引戸下枠のレール部分を示す画像３５Ｃとが含まれている。戸先側の引戸縦枠の画像３５Ａは、Ｂプレート３０の一方の短辺３０Ａ、具体的には、Ｂプレート３０を、その表面に印刷された文字や数字を読める向きに配置した際に左側となる短辺３０Ａに沿って表記されている。このＢプレート３０は、前記短辺３０Ａを、第１縦枠７１の第１側面７１Ａに当接させて開口２Ａの床（既設下枠など）に配置できるように構成されている。
第１目盛３１は、後述するＤプレート５０の第１指示部５１の指示位置が、全閉状態の障子５の戸先側端部からの寸法となるように形成されている。本実施形態では、全閉状態の障子５の戸先側端部は、Ｂプレート３０の短辺３０Ａから５ｍｍ内側の位置とされ、第１目盛３１はこの位置からの寸法を表記している。
Ｂプレート３０は、平面略矩形状に形成されて、Ｃプレート４０が載置される載置面部３３を備えている。載置面部３３の一部は、引き込み部２Ｂに配置される。
【００１８】
Ｃプレート４０の表面には、障子５の全開状態での出来幅ＳＷの測定に用いられる第２目盛４１と、全開状態の障子５の配置位置を示す画像４５とが印刷などで表記されている。
画像４５は、全開状態の障子５を示す画像４５Ａと、引戸下枠のレール部分を示す画像４５Ｃとが含まれている。このＣプレート４０は、載置面部３３上に載置されて引き込み部２Ｂに配置される。このため、Ｃプレート４０を開口２Ａの幅方向に移動させる際に、載置面部３３上でＣプレート４０をスムーズにスライドさせることができる。また、Ｃプレート４０は、Ｂプレート３０のレール部分の画像３５Ｃに前記画像４５Ｃが連続して重なるように載置される。このＣプレート４０は、右側の短辺４０Ａが、引き込み部２Ｂの側方にある壁２Ｃ（図１、３参照）に当たる位置までの範囲で配置できる。
第２目盛４１は、後述するＤプレート５０の第２指示部５２の指示位置が、全開状態の障子５の戸尻側端部からの寸法となるように形成されている。本実施形態では、全開状態の障子５の戸尻側端部は、下レールの端部に設けられるストッパーの位置に対応し、第２目盛４１はこの位置からの寸法を表記している。
【００１９】
Ｄプレート５０の表面には、第１指示部５１、第２指示部５２、第３指示部５３、画像５５が印刷などで表記されている。
画像５５は、Ｄプレート５０を、Ａプレート２０、Ｂプレート３０、Ｃプレート４０に重ねて配置した際に、各画像２５、３５、４５に連続するように形成されている。具体的には、化粧カバーの表面を示す画像２５Ｂ、３５Ｂに連続する化粧カバーの表面の画像５５Ｂと、ＦＩＸ部６の画像２５Ｃに連続するＦＩＸ部６の召合せ框部分の画像５５Ｃと、レール部分の画像３５Ｃに連続する画像５５Ｄと、障子５の画像４５Ａに連続する障子５の戸先部分の画像５５Ａとの各画像が、Ｄプレート５０の表面に印刷されている。
画像５５は、ＦＩＸ部６の召合せ框の横断面の画像５５Ｃと、障子５の戸先側の画像５５Ａとを含むため、採寸治具１０を用いて測定する作業者は、ＦＩＸ部６がどこまで設置されるのかと、全開状態の障子５の引き残し部分、つまり障子５においてＦＩＸ部６の召合せ框よりも第１縦枠７１側に突出する部分がどの程度の寸法になるのかとを、視覚により直感的に把握できる。
【００２０】
第１指示部５１は、Ｄプレート５０の突出片５０Ａに形成され、Ｄプレート５０を各プレート２０、３０、４０上に載置した際に、第１目盛３１を指示する矢印を備えている。なお、第１指示部５１は、全閉状態の障子５の戸尻側端部の位置を示すため、ＦＩＸ部６の召合せ框の煙返し部分に対応する位置に形成されている。
第２指示部５２は、Ｄプレート５０を各プレート２０、３０、４０上に載置した際に、第２目盛４１を指示する矢印を備えている。なお、第２指示部５２は、全開状態の障子５の戸先側端部の位置を示すため、障子５の引き残し部の設定寸法に応じて設定される。したがって、障子５の屋内側の把手の位置などによって引き残し部の寸法を変更する場合には、その引き残し部の寸法に応じて第２指示部５２が設定された別のＤプレート５０を用いてもよいし、Ｄプレート５０に複数の第２指示部５２を表記して作業者が使い分けるようにしてもよい。
第３指示部５３は、Ｄプレート５０を各プレート２０、３０、４０上に載置した際に、ＦＩＸ部幅目盛２２を指示する矢印を備えている。なお、第１指示部５１は、ＦＩＸ部６の幅寸法を示すため、ＦＩＸ部６の召合せ框に対応する位置に形成されている。
【００２１】
次に、採寸治具１０を用いた現場での測定方法について、図３〜５を参照して説明する。本実施形態では、既設のドアを新設の片引き戸１に改装する際に、設置可能な片引き戸１のサイズを採寸治具１０を用いて測定する。
作業者は、片引き戸１を設置する建物の開口２Ａの床部分に、Ａプレート２０およびＢプレート３０を載置する。この際、既設ドアの扉が取り外されていれば、Ａプレート２０およびＢプレート３０を第１縦枠７１の第１側面７１Ａ、第２縦枠７２の第２側面７２Ａにそれぞれ当接させる。一方、既設ドアの扉が取り外されてない場合には、例えば、既設ドアの屋外側の玄関ポーチ部分において、第１側面７１Ａ、第２側面７２Ａの延長線上に、各プレート２０、３０の短辺２０Ａ、短辺３０Ａを合わせて配置してもよい。
この際、図３に示すように、最初にＡプレート２０を載置し、Ａプレート２０の上にＢプレート３０を載置する。この際、Ｂプレート３０の画像３５Ｂが、Ａプレート２０の画像２５Ｂと連続するように、Ｂプレート３０を配置する。これにより、目盛指示部３２が開口幅目盛２１を指示するため、作業者は開口幅ＫＷの寸法を直接確認できる。なお、開口２Ａ内に組み込む新設の片引き戸１の製品幅は、開口幅ＫＷから片引き戸１を開口２Ａ内に組み込むためのクリアランス（例えば１０ｍｍ）を差し引いた寸法であるため、開口幅ＫＷを測定することで片引き戸１の製品幅を特定できる。
【００２２】
次に、作業者は、図４に示すように、Ｃプレート４０を障子５の引き込み部２Ｂに配置する。既にＢプレート３０が配置されているため、Ｃプレート４０の一部は、Ｂプレート３０の載置面部３３上に載置される。この際、Ｃプレート４０の画像４５Ｃが、Ｂプレート３０の画像３５Ｃと連続するように、Ｃプレート４０を配置する。なお、Ｃプレート４０の位置は、次の作業で微調整するため、仮の位置として配置すればよく、通常は、図４に示すように、Ｃプレート４０の短辺４０Ａを、側面の壁２Ｃに当接させた位置に仮置きすればよい。
【００２３】
次に、作業者は、図５に示すように、Ｄプレート５０を各プレート２０、３０、４０上に載置する。この際、Ｄプレート５０の画像５５が各画像２５、３５、４５と連続するように、Ｄプレート５０を配置する。これにより、第１指示部５１、第２指示部５２、第３指示部５３が、それぞれ第１目盛３１、第２目盛４１、ＦＩＸ部幅目盛２２を指示する。
作業者は、第１指示部５１が指示する第１目盛３１の寸法と、第２指示部５２が指示する第２目盛４１の寸法とが一致するように、Ｃプレート４０およびＤプレート５０を移動する。すなわち、第１指示部５１が指示する第１目盛３１の寸法は、全閉状態の障子５の出来幅ＳＷであり、第２指示部５２が指示する第２目盛４１の寸法は、全開状態の障子５の出来幅ＳＷであり、障子５の出来幅ＳＷは、各指示寸法が同じ値であることが条件となる。このため、Ｃプレート４０の短辺４０Ａを壁２Ｃに当接させた状態で、Ｄプレート５０を載置した場合に、第１指示部５１、第２指示部５２の指示値が一致する位置が存在しない場合は、Ｃプレート４０を第１縦枠７１側に移動して、第１指示部５１、第２指示部５２の指示値が一致する位置を見付ければよい。
そして、Ｄプレート５０が、第１指示部５１、第２指示部５２の指示値が一致する位置に配置された状態で、第３指示部５３が指示するＦＩＸ部幅目盛２２の寸法がＦＩＸ部幅ＷＦとなる。
【００２４】
Ｄプレート５０に、全開状態の障子５の戸先側の画像５５Ａと、ＦＩＸ部６の召合せ框の画像５５Ｃとが表記されているため、作業者は、全開状態の障子５の引き残し状態や、有効開口幅ＷＯを、視覚により直接把握できる。
なお、障子５の引き残し寸法を変更する場合は、第１指示部５１に対する第２指示部５２の位置が異なる他のＤプレート５０を用いたり、Ｄプレート５０に複数の第２指示部５２を表記して使い分けることで、障子５の引き残し寸法つまりは有効開口幅ＷＯを変更できる。
【００２５】
図５に示すように、各プレート２０、３０、４０、５０を載置したら、作業者は、開口幅ＫＷ、出来幅ＳＷ、ＦＩＸ部幅ＷＦの各寸法を直接読み取ることができる。図５の例では、既設ドア枠の開口幅ＫＷ＝１１９０mm、障子５の出来幅ＳＷ＝８３０mm、ＦＩＸ部幅ＷＦ＝３７３mmである。なお、図５の第３指示部５３のように、各指示部３２、５１、５２、５３が、１０mm毎の目盛線の間を指示する場合には、例えば、１mm単位の寸法を測定可能な副尺等を用いて測定すればよい。
作業者は、採寸治具１０で読み取った開口幅ＫＷ、出来幅ＳＷ、ＦＩＸ部幅ＷＦを用いて、新設の片引き戸１を発注することができる。
【００２６】
このような本実施形態によれば、採寸治具１０を開口２Ａや引き込み部２Ｂに配置することで、新設の片引き戸１の発注寸法を容易に確認できる。また、採寸治具１０に記載されている開口幅目盛２１、ＦＩＸ部幅目盛２２、第１目盛３１、第２目盛４１で読まれる寸法がそのまま発注寸法となるので、発注寸法を算出するための計算が不要となり、作業者は片引き戸１を容易に発注できる。さらに、採寸治具１０に、新設の片引き戸１の配置状態をイメージできる画像を印刷しているので、施工後の有効開口等を現地調査時に作業者が確認できる。
また、開口幅目盛２１、ＦＩＸ部幅目盛２２、第１目盛３１、第２目盛４１の表示範囲を、新設の片引き戸１として設定可能な範囲に制限しているので、作業者が設定不可能な寸法で誤発注することを防止できる。
【００２７】
なお、本発明は以上の実施形態で説明した構成のものに限定されず、本発明の目的を達成できる範囲での変形例は、本発明に含まれる。
例えば、Ｂプレート３０に開口幅ＫＷを測定する開口幅目盛２１を表記し、Ａプレート２０に開口幅目盛２１を指示する目盛指示部３２を表記してもよい。すなわち、開口幅ＫＷを測定する開口幅目盛２１および目盛指示部３２の一方を、Ａプレート２０またはＢプレート３０の一方に表記し、開口幅目盛２１および目盛指示部３２の他方を、Ａプレート２０またはＢプレート３０の他方に表記すればよい。
【００２８】
前記実施形態では、採寸治具１０を構成する各プレート２０、３０、４０、５０はそれぞれ別体に形成されていたが、各プレート２０〜４０をスライド移動可能に取り付けて一体化してもよい。この際、各プレート２０〜４０の移動範囲を規制するストッパー等を設けて、設定できない寸法を指示することを防止できるように構成してもよい。
【００２９】
また、前記実施形態ではＦＩＸ部６が屋内側から見て開口２Ａの右側に配置されているが、左側に配置した状態も当然あり、その際でも採寸治具１０を使用できるように各プレート２０、３０、４０、５０の裏側にも同様の内容を表記してもよいし、ＦＩＸ部６が開口２Ａの左側に配置されている場合に用いられるプレート２０、３０、４０、５０を別途用意してもよい。
【００３０】
さらに、採寸治具１０は、片引き戸１を設置する場合に限定されず、両引き戸を設置する場合にも用いることができる。すなわち、両引き戸は、左右に開かれる２枚の障子を有するため、右開き用の片引き戸１の測定に用いられる採寸治具１０と、左開き用の片引き戸１の測定に用いられる採寸治具１０とを用意することで、両引き戸の設置に必要な寸法も測定できる。なお、採寸治具１０の表裏にそれぞれ目盛などが表記されている場合には、片方ずつ測定すればよいし、採寸治具１０を２セット用意した場合には、同時に測定することもできる。
【００３１】
開口幅ＫＷは、第１縦枠７１、第２縦枠７２間の寸法であり、一般的なメジャーでも測定できる。このため、開口幅ＫＷを測定するための開口幅目盛２１、目盛指示部３２を設けなくてもよい。
また、ＦＩＸ部６のＦＩＸ部幅ＷＦは、Ａプレート２０に表記したＦＩＸ部幅目盛２２と、Ｄプレート５０の第３指示部５３とで測定していたが、Ｄプレート５０にＣプレート４０に重なって引き込み部２Ｂまで延長される延長部を形成し、この延長部にＦＩＸ部６の召合せ框からの寸法を指示する目盛を表記し、この目盛において第２縦枠７２の第２側面７２Ａと一致する位置の寸法を読むことで測定してもよい。
このように、開口幅ＫＷの測定用の開口幅目盛２１、目盛指示部３２を設けずに、かつ、ＦＩＸ部幅ＷＦの測定用の目盛をＤプレート５０に形成した場合には、Ａプレート２０を用いる必要が無いため、採寸治具１０は、Ｂプレート３０、Ｃプレート４０、Ｄプレート５０の３種類のプレートで構成できる。
【００３２】
また、ＦＩＸ部幅ＷＦは、開口幅ＫＷおよび出来幅ＳＷから求めることもできるため、採寸治具１０において、ＦＩＸ部幅目盛２２や第３指示部５３を設けなくてもよい。
さらに、採寸治具１０には、片引き戸１の断面を示す画像２５、３５、４５、５５を表記せず、各目盛および各指示部のみを表記してもよい。
【００３３】
採寸治具１０は、既設のドアを新設の片引き戸１や両引き戸に改装する場合だけでなく、建物の新築時に片引き戸１や両引き戸を設置する場合にも利用できる。
また、採寸治具１０は、実寸サイズで形成されたものに限定されない。例えば、ミニチュアサイズの建築模型を作成した際に、その縮尺に合わせた採寸治具１０を用意して測定してもよい。さらに、開口部分を記載した平面図上で、平面図の縮尺に合わせた採寸治具１０を用意し、図面上に載置して測定してもよい。
【符号の説明】
【００３４】
１…片引き戸、２…壁、２Ａ…開口、５…障子、６…袖部であるＦＩＸ部、７…ドア枠、７１…第１縦枠、７１Ａ…第１側面、７２…第２縦枠、７２Ａ…第２側面、１０…採寸治具、２０…戸尻側プレートであるＡプレート、２１…開口幅目盛、２２…ＦＩＸ部幅目盛、２５…画像、３０…戸先側プレートであるＢプレート、３１…第１目盛、３２…目盛指示部、３５…画像、４０…引き込み部用プレートであるＣプレート、４１…第２目盛、４５…画像、５０…目盛指示プレートであるＤプレート、５０Ａ…突出片、５１…第１指示部、５２…第２指示部、５３…目盛指示部、５５…画像、ＨＷ…引き込み代、ＫＷ…開口幅、ＳＷ…出来幅、ＷＦ…ＦＩＸ部幅、ＷＯ…有効開口幅。
【図１】
2018204308.tif 000004
【図２】
2018204308.tif 000005
【図３】
2018204308.tif 000006
【図４】
2018204308.tif 000007
【図５】
2018204308.tif 000008